(57)【要約】【課題】車両の後突時に乗員が頭部や頸部に違和感を感じるのを抑制する。【解決手段】車両の後突検知時にシートに着座した乗員の上体を拘束するウェビングを巻き取るテンショナ機構がシート周辺に設けられている。ヘッドレスト本体１５が、車両の後突検知時に車両前方及び上方に移動するようになっている。駆動機構５０が、テンショナ機構に連結部材５４を介して連結されていて、テンショナ機構のウェビング巻取り動作に連結部材５４を介して連動してヘッドレスト本体１５を移動させるようになっている。駆動機構５０は、テンショナ機構のウェビング巻取り動作完了よりも早くヘッドレスト本体１５の移動を完了する。【選択図】図２
2008302720.tif 000002
【特許請求の範囲】
【請求項１】
シート又は該シート周辺に設けられているとともに、車両の後突予知時及び／又は検知時に上記シートに着座した乗員の上体を拘束するウェビングを巻き取るテンショナ機構と、上記車両の後突予知時及び／又は検知時に車両前方及び／又は上方に移動するヘッドレスト本体とを備えたシートシステムであって、
上記テンショナ機構に連結部材を介して連結され、該テンショナ機構のウェビング巻取り動作に上記連結部材を介して連動して上記ヘッドレスト本体を移動させる駆動機構をさらに備え、
上記駆動機構は、上記テンショナ機構のウェビング巻取り動作完了よりも早く又はこれと同時期に上記ヘッドレスト本体の移動を完了するように構成されていることを特徴とするシートシステム。
【請求項２】
請求項１記載のシートシステムにおいて、
上記駆動機構は、
上記ヘッドレスト本体とヘッドレスト基部との間に設けられ、該ヘッドレスト本体をその移動方向に付勢する付勢部材と、上記ヘッドレスト本体に設けられた被係止部材と、上記ヘッドレスト基部に設けられているとともに、上記テンショナ機構に上記連結部材を介して連結され、かつ、通常時に上記被係止部材を上記付勢部材の付勢に抗して係止する係止部材とを有していて、
上記係止部材が上記テンショナ機構のウェビング巻取り動作に上記連結部材を介して連動することで上記係止部材による被係止部材の係止が解除されるとともに、上記付勢部材が上記ヘッドレスト本体をその移動方向に付勢することにより、上記ヘッドレスト本体を移動させるように構成されていることを特徴とするシートシステム。
【請求項３】
請求項２記載のシートシステムにおいて、
上記係止部材による被係止部材の係止の解除に必要な上記テンショナ機構のウェビング巻取り量が、上記テンショナ機構の全ウェビング巻取り量よりも少ないことを特徴とするシートシステム。
【請求項４】
請求項１記載のシートシステムにおいて、
上記駆動機構は、
上記ヘッドレスト本体に設けられたラックと、ヘッドレスト基部に設けられているとともに、上記テンショナ機構に上記連結部材を介して連結され、かつ、上記ラックと噛み合うピニオンとを有していて、
上記ピニオンが上記テンショナ機構のウェビング巻取り動作に上記連結部材を介して連動して回転することで上記ラックが上記ピニオンに対し相対移動して上記ヘッドレスト本体の移動方向に移動することにより、上記ヘッドレスト本体を移動させるように構成されていることを特徴とするシートシステム。
【請求項５】
請求項４記載のシートシステムにおいて、
上記ラックの移動完了に必要な上記テンショナ機構のウェビング巻取り量が、該テンショナ機構の全ウェビング巻取り量よりも少ないことを特徴とするシートシステム。
【請求項６】
請求項１記載のシートシステムにおいて、
上記連結部材の伸び率が上記ウェビングの伸び率よりも低いことを特徴とするシートシステム。
【発明の詳細な説明】
【技術分野】
【０００１】
本発明は、シートシステムに関するものである。
【背景技術】
【０００２】
従来から、特許文献１に示すように、車両の後突予知時や検知時にシートベルトのショルダーベルトを巻き取って乗員の拘束効果を高めるテンショナ機構が知られている。
【０００３】
また以前から、特許文献１に示すように、車両の後突予知時や検知時に上方や斜め上前方に移動するヘッドレストが知られている。ヘッドレストがそのように移動することにより、上記テンショナ機構のシートベルト巻取り動作によって上体が車両後方に移動する乗員の頭部を安定支持できる。
【特許文献１】特開２０００−２３３７１３号公報
【発明の開示】
【発明が解決しようとする課題】
【０００４】
ところで、乗員の上体は、上記テンショナ機構のシートベルト巻取り動作が完了した後、車両後方に移動するが、この移動後に上記ヘッドレストが上述のように移動すると、乗員が頭部や頸部に違和感を感じる虞がある。
【０００５】
本発明は、かかる点に鑑みてなされたものであり、その目的とするところは、車両の後突時に乗員が頭部や頸部に違和感を感じるのを抑制することにある。
【課題を解決するための手段】
【０００６】
第１の発明は、シート又は該シート周辺に設けられているとともに、車両の後突予知時及び／又は検知時に上記シートに着座した乗員の上体を拘束するウェビングを巻き取るテンショナ機構と、上記車両の後突予知時及び／又は検知時に車両前方及び／又は上方に移動するヘッドレスト本体とを備えたシートシステムであって、上記テンショナ機構に連結部材を介して連結され、該テンショナ機構のウェビング巻取り動作に上記連結部材を介して連動して上記ヘッドレスト本体を移動させる駆動機構をさらに備え、上記駆動機構は、上記テンショナ機構のウェビング巻取り動作完了よりも早く又はこれと同時期に上記ヘッドレスト本体の移動を完了するように構成されていることを特徴とするものである。
【０００７】
これにより、ヘッドレスト本体の移動をテンショナ機構のウェビング巻取り動作完了よりも早く又はこれと同時期に完了させるので、乗員の上体が車両後方に移動する前にヘッドレスト本体の移動を完了させることができ、車両の後突時に乗員が頭部や頸部に違和感を感じるのを抑制できる。
【０００８】
第２の発明は、上記第１の発明において、上記駆動機構は、上記ヘッドレスト本体とヘッドレスト基部との間に設けられ、該ヘッドレスト本体をその移動方向に付勢する付勢部材と、上記ヘッドレスト本体に設けられた被係止部材と、上記ヘッドレスト基部に設けられているとともに、上記テンショナ機構に上記連結部材を介して連結され、かつ、通常時に上記被係止部材を上記付勢部材の付勢に抗して係止する係止部材とを有していて、上記係止部材が上記テンショナ機構のウェビング巻取り動作に上記連結部材を介して連動することで上記係止部材による被係止部材の係止が解除されるとともに、上記付勢部材が上記ヘッドレスト本体をその移動方向に付勢することにより、上記ヘッドレスト本体を移動させるように構成されていることを特徴とするものである。
【０００９】
これにより、簡単な構造で、ヘッドレスト本体の移動をテンショナ機構のウェビング巻取り動作完了よりも早く又はこれと同時期に完了させることができる。
【００１０】
第３の発明は、上記第２の発明において、上記係止部材による被係止部材の係止の解除に必要な上記テンショナ機構のウェビング巻取り量が、上記テンショナ機構の全ウェビング巻取り量よりも少ないことを特徴とするものである。
【００１１】
これにより、係止部材による被係止部材の係止の解除に必要なテンショナ機構のウェビング巻取り量をテンショナ機構の全ウェビング巻取り量よりも少なくしているので、確実に、ヘッドレスト本体の移動をテンショナ機構のウェビング巻取り動作完了よりも早く又はこれと同時期に完了させることができる。
【００１２】
第４の発明は、上記第１の発明において、上記駆動機構は、上記ヘッドレスト本体に設けられたラックと、ヘッドレスト基部に設けられているとともに、上記テンショナ機構に上記連結部材を介して連結され、かつ、上記ラックと噛み合うピニオンとを有していて、上記ピニオンが上記テンショナ機構のウェビング巻取り動作に上記連結部材を介して連動して回転することで上記ラックが上記ピニオンに対し相対移動して上記ヘッドレスト本体の移動方向に移動することにより、上記ヘッドレスト本体を移動させるように構成されていることを特徴とするものである。
【００１３】
これにより、簡単な構造で、ヘッドレスト本体の移動をテンショナ機構のウェビング巻取り動作完了よりも早く又はこれと同時期に完了させることができる。
【００１４】
第５の発明は、上記第４の発明において、上記ラックの移動完了に必要な上記テンショナ機構のウェビング巻取り量が、該テンショナ機構の全ウェビング巻取り量よりも少ないことを特徴とするものである。
【００１５】
これにより、ラックの移動完了に必要なテンショナ機構のウェビング巻取り量をテンショナ機構の全ウェビング巻取り量よりも少なくしているので、確実に、ヘッドレスト本体の移動をテンショナ機構のウェビング巻取り動作完了よりも早く又はこれと同時期に完了させることができる。
【００１６】
第６の発明は、上記第１の発明において、上記連結部材の伸び率が上記ウェビングの伸び率よりも低いことを特徴とするものである。
【００１７】
これにより、連結部材の伸び率をウェビングの伸び率よりも低くしているので、連結部材を介する、テンショナ機構から駆動機構への動力の伝達を確実に行うことができ、ヘッドレスト本体の移動を早く完了させることができる。したがって、確実に、ヘッドレスト本体の移動をテンショナ機構のウェビング巻取り動作完了よりも早く又はこれと同時期に完了させることができる。
【発明の効果】
【００１８】
本発明によれば、ヘッドレスト本体の移動をテンショナ機構のウェビング巻取り動作完了よりも早く又はこれと同時期に完了させるので、ウェビング巻取りにより乗員の上体が車両後方に移動する前にヘッドレスト本体の移動を完了させることができ、車両の後突時に乗員が頭部や頸部に違和感を感じるのを抑制できる。
【発明を実施するための最良の形態】
【００１９】
以下、本発明の実施形態を図面に基づいて詳細に説明する。
【００２０】
（実施形態１）
本発明の実施形態に係るシートシステム１は、図１〜図３に示すように、シート装置１０、シートベルト装置３０（図４参照）、及び駆動機構５０を備えている。シート装置１０は、シート１１、シートスライド機構１７、及びシートマウント１８を有している。図１ではシート装置１０として運転席を示している。
【００２１】
シート１１は、シートクッション１２と、このシートクッション１２の後端部にシートクッション１２の上面に対し倒伏可能に取り付けられたシートバック１３と、このシートバック１３の上端部に取り付けられたヘッドレスト１４とを有している。
【００２２】
ヘッドレスト１４は、車両の後突検知時（シートベルト装置３０のテンショナ機構３８の作動時）に車両前方及び上方に移動するヘッドレスト本体１５と、このヘッドレスト本体１５の後側に設けられた金属製のヘッドレストフレーム（ヘッドレスト基部）１６とを有している。ヘッドレスト本体１５を車両の後突検知時に車両前方に移動させるのは、車両の後突時において、シートベルト装置３０のショルダーベルト３４ａが巻き取られてシート１１に着座した乗員Ｐの上体が車両後方に移動するので、ヘッドレスト１４と乗員Ｐの頭部との間の隙間を埋めてその頭部をヘッドレスト１４で安定支持するためである。一方、ヘッドレスト本体１５を車両の後突検知時に上方に移動させるのは、車両の後突時において、シートバック１３が撓んだり後傾したりして乗員Ｐの頭部がヘッドレスト１４に対し上方に移動するので、ヘッドレスト１４と乗員Ｐの頭部との位置ずれを矯正してその頭部をヘッドレスト１４で安定支持するためである。
【００２３】
上記ヘッドレスト本体１５は、弾力性のあるクッション部材（パッド部材）１５ａと、このクッション部材１５ａの後側に取り付けられた樹脂製の板状部材１５ｂとを有している。上記ヘッドレストフレーム１６は、それぞれ上下方向に延びて互いに車幅方向（シート左右方向）に所定間隔を開けて並ぶ筒状の２つのパイプフレーム１６ａ，１６ａと、この両パイプフレーム１６ａ，１６ａの上端部に溶接固定されてヘッドレスト本体１５と対向する略板状の板状フレーム１６ｂとを有している。各パイプフレーム１６ａは、シートバック１３の上端部に略上下方向に延びるように埋設された筒状部材１３ａに軸方向に摺動可能に差し込まれている。この構成により、ヘッドレスト１４は、シートバック１３に対し略上下方向に移動可能になっている。
【００２４】
上記シートスライド機構１７は、シートクッション１２下面の車幅方向両端部にそれぞれ配設されていて、シート１１をフロアパネル２に対し車両前後方向（シート前後方向）にスライド可能になっている。上記シートマウント１８は、各シートスライド機構１７下面の車両前後方向両端部にそれぞれ配設されていて、シート１１をフロアパネル２上に支持している。
【００２５】
上記シートベルト装置３０は、図４に示すように、後突検知センサ３１、制御装置３２、及びシートベルト本体３３を有している。後突検知センサ３１は、車両の後端部に取り付けられていて、例えばＧセンサで構成されており、車両の後突を検知すると、制御装置３２に後突検知信号を送信するようになっている。制御装置３２は、後突検知センサ３１からの後突検知信号を受信すると、シートベルト本体３３のインフレータ４４に作動信号を送信するようになっている。
【００２６】
シートベルト本体３３は、図１に示すように、いわゆる３点式のものであって、乗員Ｐをシート１１に拘束するウェビング３４と、車両の後突検知時にウェビング３４のショルダーベルト３４ａを巻き取るテンショナ機構３８とを有している。ウェビング３４は、センターピラー３の上端部に取り付けられたショルダーアンカー３５、及びタング３６に挿通された状態で、一端がテンショナ機構３８のリトラクタ３９（図５、図６参照）に、他端がシートクッション１２の車幅方向外側端部に取り付けられている。タング３６は、蛇腹部分３７ａがシートクッション１２の車幅方向内側端面にボルト等で取付固定されたバックル３７に差込み可能になっている。そして、タング３６がバックル３７に係合されると、乗員Ｐがシート１１にウェビング３４で拘束される。また、ウェビング３４は、乗員Ｐの肩部及び胸部（乗員Ｐの上体）をシートバック１３に拘束するショルダーベルト３４ａと、乗員Ｐの腰部をシートクッション１２に拘束するラップベルト３４ｂとを有している。
【００２７】
上記テンショナ機構３８は、センターピラー３内部の下端部に取り付けられていて、図５及び図６に示すように、リトラクタ３９と、このリトラクタ３９の車両前方側の側板４０に取り付けられたいわゆる火薬式のショルダープリテンショナー４３とを有している。
【００２８】
リトラクタ３９は、それぞれ互いに車両前後方向に所定間隔を開けて並ぶ２つの側板４０，４０と、この両側板４０，４０間に車両前後方向に延びる軸回りに回転可能に支持され、ウェビング３４の一端が留められた巻き軸４１とを有している。この巻き軸４１の前端面には、車両前方に延びる、巻き軸４１を駆動させるための駆動軸４２が、車両前方側の側板４０の貫通孔（図示せず）に挿通された状態で突設されている。
【００２９】
上記ショルダープリテンショナー４３は、インフレータ４４、ラック（ピストン）４６、ピニオン４７、及びプーリ４８を有している。インフレータ４４は、ハウジング４５底部の収容スペース４５ａに収容されていて、制御装置３２からの作動信号を受信すると、ガスを発生するようになっている。ハウジング４５には、収容スペース４５ａよりも上側部分に収容スペース４５ａと連通して上下方向に延びるシリンダ４５ｂがさらに配設されている。なお、図６では、図を見易くするため、インフレータ４４やハウジング４５の図示を省略している。
【００３０】
上記ラック４６は、シリンダ４５ｂに軸方向に摺動可能に収容されていて、下端面にインフレータ４４からのガス圧を受けると、通常位置からこの通常位置よりも上方の所定位置（図５の二点鎖線を参照）まで上下方向に移動するようになっている。
【００３１】
上記ピニオン４７は、駆動軸４２に軸支固定されていて、ラック４６が通常位置から所定位置まで移動すると、ラック４６と噛み合って図５に示す反時計回りに回転するようになっている。この回転に伴って駆動軸４２、巻き軸４１もピニオン４７と同じ方向に回転し、ショルダーベルト３４ａが巻き軸４１に所定量だけ巻き取られる。この巻取り後に乗員Ｐの上体が車両後方に移動する。
【００３２】
上記プーリ４８は、駆動軸４２におけるピニオン４７よりも前側部分（駆動軸４２の先端部）に軸支固定されていて、溝部４８ａにケーブル部材５４のワイヤ（連結部材）５４ａの一端が留められており、駆動軸４２が回転すると、これと同じ方向に回転するようになっている。この回転により、ワイヤ５４ａがプーリ４８の溝部４８ａに巻き取られる。
【００３３】
なお、図示省略するが、シートクッション１２の車幅方向外側端部には、車両の後突検知時にウェビング３４のラップベルト３４ｂを巻き取るテンショナ機構が内蔵されている。
【００３４】
上記駆動機構５０は、図２及び図３に示すように、ばね部材（付勢部材）５１、被係止部材５２、係止部材５３、シリンダ部材５６、及びストッパー部材５９を有している。ばね部材５１は、ヘッドレスト本体１５の板状部材１５ｂ後面の四隅部とこの各隅部に対応する、ヘッドレストフレーム１６の板状フレーム１６ｂの前面部分との間に、車両前方に行くに従って斜め上方に延びるようにそれぞれ架設されていて、ヘッドレスト本体１５を車両前方かつ上方（その移動方向）に付勢するようになっている。なお、図３では、図を見易くするため、ばね部材５１、シリンダ部材５６、ストッパー部材５９の図示を省略している。
【００３５】
上記被係止部材５２は、板状部材１５ｂ後面の中央部に突設されていて、板状部材１５ｂから車両後方に行くに従って斜め下方に延びる下板５２ａと、この下板５２ａの後端部から下板５２ａに対し直角をなすように上方に延びる後板５２ｂとを有する、車両側面視Ｌ字状の部材である。
【００３６】
上記係止部材５３は、後端部が板状フレーム１６ｂの前面に車幅方向に延びる軸回りに回動可能に取り付けられているとともに、板状フレーム１６ｂから車両前方に行くに従って斜め上方に延びる上板５３ａと、この上板５３ａの前端部から上板５３ａに対し直角をなすように下方に延びる前板５３ｂとを有する、車両側面視Ｌ字状の部材である。この前板５３ｂは、通常時は被係止部材５２の後板５２ｂに引っ掛っている。こうして、係止部材５３は、通常時は被係止部材５２をばね部材５１の付勢に抗して係止するようになっている。上板５３ａは、テンショナ機構３８のプーリ４８にケーブル部材５４を介して連結されている。
【００３７】
ケーブル部材５４は、図７に示すように、可撓性のワイヤ５４ａに可撓性の外被管５４ｂを被せた可撓性部材である。ケーブル部材５４は、図１〜図３、図５、及び図６に示すように、テンショナ機構３８のプーリ４８を始点として、センターピラー３内部、フロアパネル２下のスペース、シートクッション１２内部の後端部、及びシートバック１３内部の背面部を通り、それから、車幅方向内側のパイプフレーム１６ａ、及び係止部材５３の真上に位置する、板状フレーム１６ｂの前面上のケーブルアンカー５５に挿通されて、係止部材５３の上板５３ａに至っている。ワイヤ５４ａは、外被管５４ｂに軸方向に摺動可能に収容されていて、両端部は外被管５４ｂで被覆されておらず、一端がプーリ４８に、他端が係止部材５３の上板５３ａに取り付けられている。以上から分かるように、ケーブル部材５４は、プーリ４８と係止部材５３とを最短距離で結ぶのではなく、長さに余裕を持たせて変形可能に配索されている。そして、ワイヤ５４ａがプーリ４８に巻き取られると、係止部材５３が上方に引っ張られて図２に示す時計回りに回動するようになっている。つまり、係止部材５３がテンショナ機構３８のウェビング巻取り動作にケーブル部材５４を介して連動して回動する（図２の二点鎖線を参照）。この回動により、係止部材５３による被係止部材５２の係止が解除される。それから、ばね部材５１がヘッドレスト本体１５を車両前方及び上方に付勢し、ヘッドレスト本体１５が斜め上前方に所定量だけ移動する（図２の二点鎖線を参照）。この所定量は例えば３ｃｍである。
【００３８】
なお、ケーブル部材５４のワイヤ５４ａがテンショナ機構３８のプーリ４８に巻き取られても、外被管５４ｂは動かないようになっている。一方、シート１１を車両前後方向にスライドさせると、ワイヤ５４ａとともに外被管５４ｂも変形するようになっている。
【００３９】
上記シリンダ部材５６は、図２、図３、及び図８に示すように、板状部材１５ｂ後面の四隅部とこの各隅部に対応する板状フレーム１６ｂの前面部分との間に、車両前方に行くに従って斜め上方に延びるようにそれぞれ架設されている。各シリンダ部材５６は、後端が板状フレーム１６ｂに取り付けられているとともに、車両前方に行くに従って斜め上方に延びる差込孔５７ａが形成された断面矩形状の柱状部材５７と、前端が板状部材１５ｂに取り付けられ、差込孔５７ａに摺動自在に差し込まれた棒状部材５８とを有している。この各棒状部材５８の後端部には、上側部分に鋸歯５８ａが形成されている。そして、ヘッドレスト本体１５が移動すると、棒状部材５８が柱状部材５７の差込孔５７ａに沿って車両前方かつ上方に移動する。このことにより、ヘッドレスト本体１５の移動が案内される。
【００４０】
上記ストッパー部材５９は、各柱状部材５７上面の前端部に取り付けられていて、柱状部材５７上を車両前方に行くに従って斜め上方に延びる本体部５９ａと、この本体部５９ａの前端部から本体部５９ａに対し直角をなすように下方に延びる車両側面視三角形状の鉤爪部５９ｂとを有しており、棒状部材５８を下方に付勢するようになっている。そして、棒状部材５８（ヘッドレスト本体１５）の移動完了時に鉤爪部５９ｂが棒状部材５８の鋸歯５８ａの所定の谷部に引っ掛かる（図８の二点鎖線を参照）。このことにより、ヘッドレスト本体１５の移動完了後にヘッドレスト本体１５の位置がその移動完了時の位置に保持される。なお、鉤爪部５９ｂは、ヘッドレスト本体１５の移動中は、棒状部材５８の鋸歯５８ａの山部や谷部を乗り越えていくようになっていて、その谷部に嵌まり込むことはない。
【００４１】
また、上記駆動機構５０は、テンショナ機構３８のウェビング巻取り動作完了よりも早くヘッドレスト本体１５の移動を完了するようになっている。これを実現するため、被係止部材５２や係止部材５３の大きさ・形状などを工夫して、係止部材５３による被係止部材５２の係止の解除に必要なテンショナ機構３８のウェビング巻取り量をテンショナ機構３８の全ウェビング巻取り量よりも少なくしている。さらに、ワイヤ５４ａの伸び率をウェビング３４の伸び率よりも低くしている。このことにより、ワイヤ５４ａの伸び率が低くなり、ワイヤ５４ａを間におく、テンショナ機構３８から駆動機構５０への動力の伝達が確実に行われ、ヘッドレスト本体１５の移動が早く完了する。一方、ウェビング３４の伸び率は高くなるので、ウェビング３４のラップベルト３４ｂによる乗員Ｐの拘束が遅くなり、乗員Ｐの上体の、車両後方への移動開始が遅くなる。以上のことにより、乗員Ｐの上体が車両後方に移動する前にヘッドレスト本体１５の移動が完了する。
【００４２】
−シートシステムの動作−
以下、図１〜図８を参照しながら、本実施形態に係るシートシステム１の、車両の後突検知時における動作について説明する。車両の後突を検知すると、インフレータ４４がガスを発生し、下端面にインフレータ４４からのガス圧を受けたラック４６が通常位置から所定位置まで移動する。この移動により、ピニオン４７がラック４６と噛み合って図５に示す反時計回りに回転し、巻き軸４１、プーリ４８もピニオン４７と同じ方向に回転する。そして、巻き軸４１の回転により、ショルダーベルト３４ａが巻き軸４１に巻き取られる一方、プーリ４８の回転により、ワイヤ５４ａがプーリ４８に巻き取られる。
【００４３】
ワイヤ５４ａがプーリ４８に巻き取られると、係止部材５３が上方に引っ張られて図２に示す時計回りに回動する。この回動により、係止部材５３による被係止部材５２の係止が解除される。そして、ばね部材５１がヘッドレスト本体１５を車両前方及び上方に付勢し、ヘッドレスト本体１５が斜め上前方に移動する。この移動は、テンショナ機構３８のウェビング巻取り動作完了よりも早く完了する。
【００４４】
−効果−
以上により、本実施形態によれば、ヘッドレスト本体１５の移動をテンショナ機構３８のウェビング巻取り動作完了よりも早く完了させるので、乗員Ｐの上体が車両後方に移動する前にヘッドレスト本体１５の移動を完了させることができ、車両の後突時に乗員Ｐが頭部や頸部に違和感を感じるのを抑制できる。
【００４５】
また、ばね式の駆動機構５０という簡単な構造で、ヘッドレスト本体１５の移動をテンショナ機構３８のウェビング巻取り動作完了よりも早く完了させることができる。
【００４６】
係止部材５３による被係止部材５２の係止の解除に必要なテンショナ機構３８のウェビング巻取り量をテンショナ機構３８の全ウェビング巻取り量よりも少なくしているので、確実に、ヘッドレスト本体１５の移動をテンショナ機構３８のウェビング巻取り動作完了よりも早く完了させることができる。
【００４７】
ワイヤ５４ａの伸び率をウェビング３４の伸び率よりも低くしているので、ワイヤ５４ａを介する、テンショナ機構３８から駆動機構５０への動力の伝達を確実に行うことができ、ヘッドレスト本体１５の移動を早く完了させることができる。したがって、確実に、ヘッドレスト本体１５の移動をテンショナ機構３８のウェビング巻取り動作完了よりも早く完了させることができる。
【００４８】
なお、本実施形態では、付勢部材をばね部材５１で構成しているが、ヘッドレスト本体１５とヘッドレストフレーム１６との間に設けられ、ヘッドレスト本体１５をその移動方向に付勢する限り、いかなる部材で構成してもよい。
【００４９】
本実施形態では、被係止部材５２及び係止部材５３を断面Ｌ字状の部材で構成しているが、係止部材５３がテンショナ機構３８のウェビング巻取り動作にケーブル部材５４を介して連動することで係止部材５３による被係止部材５２の係止が解除される限り、それらをいかなる部材で構成してもよい。
【００５０】
（実施形態２）
本実施形態は、駆動機構５０の構成が実施形態１と異なるものである。以下、実施形態１と異なる点について説明する。
【００５１】
本実施形態の駆動機構５０は、実施形態１のばね部材５１、被係止部材５２、及び係止部材５３の代わりに、図９及び図１０に示すように、ラック６１、ピニオン６４、及びプーリ６５を有している。ラック６１は、ヘッドレスト本体１５の板状部材１５ｂ後面の中央部に車両後方に行くに従って斜め下方（ヘッドレスト本体１５の移動方向とは反対方向）に延びるように突設されている。
【００５２】
ヘッドレストフレーム１６の板状フレーム１６ｂの中央部には、それぞれ車幅方向に間隔を開けて並ぶ２つのブラケット部材６２，６２が車両前方に延びるようにそれぞれ突設されている。この両ブラケット部材６２，６２間には、車幅方向に延びる回転軸６３が回転可能に支持されており、この回転軸６３には上記ピニオン６４及びプーリ６５が軸支固定されている。このピニオン６４は、ラック６１の真下に配置されていて、ラック６１と噛み合っている。プーリ６５は、回転軸６３におけるピニオン６４よりも車幅方向内側部分に取り付けられていて、溝部６５ａにケーブル部材５４のワイヤ５４ａの一端が留められてワイヤ５４ａが所定量だけ巻き取られている。このようにして、ピニオン６４は、テンショナ機構３８のプーリ４８にケーブル部材５４、ピニオン６４、及び回転軸６３を介して連結されている。そして、ワイヤ５４ａがテンショナ機構３８のプーリ４８に巻き取られると、プーリ６５に巻き取られたワイヤ５４ａが下側に引っ張られてプーリ６５から送り出される。この送出しにより、プーリ６５は、図９に示す反時計回りに回転する。この回転に伴って、回転軸６３、ピニオン６４もプーリ６５と同じ方向に回転する。つまり、ピニオン６４がテンショナ機構３８のウェビング巻取り動作にケーブル部材５４を介して連動して回転する。それから、ピニオン６４の回転によってラック６１がピニオン６４に対し相対移動して車両前方かつ上方（ヘッドレスト本体１５の移動方向）に所定量だけ移動し、ヘッドレスト本体１５が車両前方及び上方に所定量だけ移動する（図９の二点鎖線を参照）。なお、図を見易くするため、図９では、ブラケット６２の図示を、図１０では、シリンダ部材５６、ストッパー部材５９の図示を、それぞれ省略している。
【００５３】
また、上記駆動機構５０は、実施形態１と同様、テンショナ機構３８のウェビング巻取り動作完了よりも早くヘッドレスト本体１５の移動を完了するようになっている。これを達成するため、ラック６１の歯の長さを短くしたり、プーリ６５の直径を小さくしたりするなど、ラック６１やピニオン６４、プーリ６５などの大きさ・形状等を工夫して、ラック６１の移動完了に必要なテンショナ機構３８のウェビング巻取り量をテンショナ機構３８の全ウェビング巻取り量よりも小さくしている。さらに、ワイヤ５４ａの伸び率を、実施形態１と同様、ウェビング３４の伸び率よりも小さくしている。以上のことにより、乗員Ｐの上体が車両後方に移動する前にヘッドレスト本体１５の移動が完了する。
【００５４】
−シートシステムの動作−
以下、本実施形態に係るシートシステム１の、車両の後突検知時における動作のうち、実施形態１と異なる点について説明する。ワイヤ５４ａがテンショナ機構３８のプーリ４８に巻き取られると、駆動機構５０のプーリ６５に巻き取られたワイヤ５４ａが下側に引っ張られてプーリ６５から送り出される。これにより、プーリ６５が図９に示す反時計回りに回転し、ピニオン６４もプーリ６５と同じ方向に回転する。そして、ピニオン６４の回転によってラック６１が斜め上前方に移動し、ヘッドレスト本体１５が車両前方かつ上方に移動する。この移動は、テンショナ機構３８のウェビング巻取り動作完了よりも早く完了する。
【００５５】
−効果−
以上により、本実施形態によれば、ラック・アンド・ピニオン式の駆動機構５０という簡単な構造で、ヘッドレスト本体１５の移動をテンショナ機構３８のウェビング巻取り動作完了よりも早く完了させることができる。
【００５６】
ラック６１の移動完了に必要なテンショナ機構３８のウェビング巻取り量をテンショナ機構３８の全ウェビング巻取り量よりも少なくしているので、確実に、ヘッドレスト本体１５の移動をテンショナ機構３８のウェビング巻取り動作完了よりも早く完了させることができる。
【００５７】
なお、本実施形態では、ピニオン６４をブラケット部材６２を介してヘッドレストフレーム１６に設けているが、ラック６１と噛合する限り、ヘッドレストフレーム１６に対しどのように取り付けてもよい。
【００５８】
本実施形態では、ケーブル部材５４をプーリ６５及び回転軸６３を介してピニオン６４に連結しているが、ピニオン６４がテンショナ機構３８にケーブル部材５４を介して連結連動する限り、ピニオン６４にどのように連結してもよい。例えば、ピニオン６４に直接接続してもよい。
【００５９】
（実施形態３）
本実施形態は、実施形態１とは異なり、ケーブル部材５４がウェビング３４のショルダーベルト３４ａを介してテンショナ機構３８に連結されているものである。具体的には、ケーブル部材５４は、図１１に示すように、バックル３７を始点として、バックル３７の蛇腹部分３７ａの内部を通って、シートクッション１２の車幅方向内側のサイドフレーム１２ａの挿通孔１２ｂに挿通され、それから、シートクッション１２内部の後端部、及びシートバック１３内部の背面部を通って、車幅方向内側のパイプフレーム１６ａ及びケーブルアンカー５５に挿通されて、係止部材５３の上板５３ａに至っている。ワイヤ５４ａは、一端がバックル３７に、他端が係止部材５３の上板５３ａに取り付けられている。そして、ショルダーベルト３４ａが巻き軸４１に巻き取られると、ワイヤ５４ａがバックル３７側に引っ張られる。この引張りにより、係止部材５３が上方に引っ張られて図２に示す時計回りに回動する。つまり、係止部材５３がテンショナ機構３８のウェビング巻取り動作にショルダーベルト３４ａ、バックル３７、及びケーブル部材５４を介して連動して回動する。以上から明らかなように、本実施形態では、テンショナ機構３８にプーリ４８を設けないで済む。その他の点に関しては、実施形態１とほぼ同様の構成である。
【００６０】
以上により、本実施形態によれば、実施形態１とほぼ同様の作用・効果が得られる。
【００６１】
なお、本実施形態では、ケーブル部材５４をバックル３７を介してウェビング３４に連結しているが、これに限らず、例えば、直接ウェビング３４に接続してもよい。
【００６２】
本実施形態では、ワイヤ５４ａをウェビング３４を介してテンショナ機構３８に連結する構成をばね式の駆動機構５０に適用したものについて説明したが、これに限らず、例えば、ラック・アンド・ピニオン式の駆動機構５０に適用してもよい。
【００６３】
（その他の実施形態）
上記各実施形態では、テンショナ機構３８をセンターピラー３内部の下端部に配置しているが、これに限らず、例えば、シート１１に配置してもよく、シート１１周辺のフロアパネル２上など、センターピラー３以外のシート１１周辺に配置してもよい。
【００６４】
上記各実施形態では、テンショナ機構３８を後突検知時に作動させているが、後突予知時、又は後突予知時及び検知時に作動させてもよい。これと同じことは、ヘッドレスト本体１５やラップベルト３４ｂを巻き取るテンショナ機構についても言える。後突予知は、レーダやカメラなどのセンサ類と制御装置３２で、障害物までの距離や位置を計算することにより行われる。
【００６５】
上記各実施形態では、駆動機構５０をショルダーベルト３４ａを巻き取るテンショナ機構３８に連結連動しているが、ラップベルト３４ｂを巻き取るテンショナ機構に連結連動してもよい。この場合も、駆動機構５０は、テンショナ機構３８のウェビング巻取り動作完了よりも早くヘッドレスト本体１５の移動を完了するようになっている。
【００６６】
上記各実施形態では、ヘッドレスト本体１５を後突検知時に車両前方及び上方に移動させているが、車両前方又は上方に移動させてもよい。ただし、斜め上前方に移動させるのが最も望ましい。
【００６７】
上記各実施形態では、駆動機構５０をばね式のものやラック・アンド・ピニオン式のもので構成しているが、テンショナ機構３８にケーブル部材５４を介して連結され、テンショナ機構３８のウェビング巻取り動作にケーブル部材５４を介して連動してヘッドレスト本体１５を移動させる限り、いかなるもので構成してもよい。
【００６８】
上記各実施形態では、駆動機構５０をケーブル部材５４を介してテンショナ機構３８のプーリ４８やウェビング３４のショルダーベルト３４ａに連結しているが、テンショナ機構３８にケーブル部材５４を介して連結連動する限り、テンショナ機構３８にどのように連結してもよい。
【００６９】
上記各実施形態では、連結部材をワイヤ５４ａで構成しているが、これに限らない。ただし、上記各実施形態の作用・効果を顕著に発揮するためには、連結部材の伸び率がウェビング３４の伸び率よりも低いのが望ましい。
【００７０】
上記各実施形態では、ヘッドレスト本体１５の移動をテンショナ機構３８のウェビング巻取り動作完了よりも早く完了させるが、これと同時期に完了させてもよい。ただし、上記各実施形態の作用・効果を顕著に発揮するためには、早く完了させるのが望ましい。
【００７１】
上記各実施形態では、本発明を運転席に適用したものについて説明したが、助手席など、運転席以外のシート装置に適用してもよい。
【００７２】
本発明は、実施形態に限定されず、その精神又は主要な特徴から逸脱することなく他の色々な形で実施することができる。
【００７３】
このように、上述の実施形態はあらゆる点で単なる例示に過ぎず、限定的に解釈してはならない。本発明の範囲は特許請求の範囲によって示すものであって、明細書には何ら拘束されない。さらに、特許請求の範囲の均等範囲に属する変形や変更は、全て本発明の範囲内のものである。
【産業上の利用可能性】
【００７４】
以上説明したように、本発明にかかるシートシステムは、車両の後突時に乗員が頭部や頸部に違和感を感じるのを抑制する用途等に適用できる。
【図面の簡単な説明】
【００７５】
【図１】本発明の実施形態に係る運転席の概略側面図である。
【図２】ヘッドレストの断面図である。
【図３】ヘッドレストフレームの正面図である。
【図４】シートベルト装置のブロック図である。
【図５】テンショナ機構の断面図である。
【図６】テンショナ機構の正面図である。
【図７】ケーブル部材の縦断面図である。
【図８】シリンダ部材の断面図である。
【図９】ヘッドレストの断面図である。
【図１０】ヘッドレストフレームの正面図である。
【図１１】運転席の側面図である。
【符号の説明】
【００７６】
１      シートシステム
１１    シート
１５    ヘッドレスト本体
１６    ヘッドレストフレーム（ヘッドレスト基部）
３４    ウェビング
３８    テンショナ機構
５０    駆動機構
５１    ばね部材（付勢部材）
５２    被係止部材
５３    係止部材
５４ａ  ワイヤ（連結部材）
６１    ラック
６４    ピニオン
Ｐ      乗員
【図１】
2008302720.tif 000003
【図２】
2008302720.tif 000004
【図３】
2008302720.tif 000005
【図４】
2008302720.tif 000006
【図５】
2008302720.tif 000007
【図６】
2008302720.tif 000008
【図７】
2008302720.tif 000009
【図８】
2008302720.tif 000010
【図９】
2008302720.tif 000011
【図１０】
2008302720.tif 000012
【図１１】
2008302720.tif 000013